(57)【要約】【課題】ＴＶを遠隔操作するための赤外線リモコン機能を発展させ、ユーザが現在見ている番組のＷＥＢサイトを容易に見ることが可能な携帯無線端末およびＷＥＢ連携方法を提供する。【解決手段】ユーザが遠隔操作するための赤外線無線信号を送信するリモコン手段と、送受信する赤外線無線信号の処理および各手段の制御を行う制御手段と、送受信するデータ、操作内容、リモコン操作画面のうち少なくとも１つを表示する表示手段と、制御部の制御動作に関するプログラムおよびデータを格納する記憶手段と、ユーザが各種機能の操作を行う操作手段とを有し、ユーザが最後に操作したチャンネルのＷＥＢサイトをワンボタン操作で表示手段に表示する。【選択図】        図１
2004221787.tif 000002
【特許請求の範囲】
【請求項１】
ユーザが遠隔操作するための赤外線無線信号を送信するリモコン手段と、
送受信する前記赤外線無線信号の処理および各手段の制御を行う制御手段と、
送受信するデータ、操作内容、リモコン操作画面のうち少なくとも１つを表示する表示手段と、
前記制御部の制御動作に関するプログラムおよびデータを格納する記憶手段と、
前記ユーザが各種機能の操作を行う操作手段とを有し、
前記ユーザが最後に操作したチャンネルのＷＥＢサイトをワンボタン操作で前記表示手段に表示することを特徴とする携帯無線端末。
【請求項２】
ユーザが遠隔操作するための赤外線無線信号を送信するリモコン手段と、
送受信する前記赤外線無線信号の処理および各手段の制御を行う制御手段と、
送受信するデータ、操作内容、リモコン操作画面のうち少なくとも１つを表示する表示手段と、
前記制御部の制御動作に関するプログラムおよびデータを格納する記憶手段と、
前記ユーザが各種機能の操作を行う操作手段と、
現在時刻および日付情報を取得する時計手段とを有し、
前記ユーザが最後に操作したチャンネルの現在時刻に応じた番組のＷＥＢサイトをワンボタン操作で前記表示手段に表示することを特徴とする携帯無線端末。
【請求項３】
前記ワンボタン操作は、前記操作手段のＷＥＢブラウザを起動するためのボタンを１回押下することを特徴とする請求項１または２記載の携帯無線端末。
【請求項４】
前記記憶手段は、前記ユーザが前記リモコン手段を起動する前に、予めチャンネルに対応したＵＲＬおよび放送局名を情報として記憶することを特徴とする請求項１または２記載の携帯無線端末。
【請求項５】
前記時計手段により取得される前記現在情報および日付情報は、前記ユーザが前記ワンボタン操作を行った際に前記ＷＥＢサイトのＵＲＬに付加されることを特徴とする請求項２記載の携帯無線端末。
【請求項６】
ユーザのリモコン機能起動操作によって起動されるリモコン起動ステップと、
前記リモコン機能の操作画面を表示する操作画面表示ステップと、
前記ユーザの前記操作画面からの操作入力によって、チャンネルの赤外線信号をテレビに対して送信するチャンネル信号送信ステップと、
前記赤外線信号送信後、前記ユーザの前記操作画面からの操作入力によって、前記チャンネルに対応したＷＥＢサイトに接続するＷＥＢ接続ステップと、
前記ＷＥＢサイトを表示するＷＥＢサイト表示ステップと、
を有することを特徴とするＷＥＢ連携方法。
【発明の詳細な説明】
【０００１】
【発明の属する技術分野】
本発明は、遠隔操作に用いるためのリモコン機能を有する携帯無線端末およびＷＥＢ連携方法に関する。
【０００２】
【従来の技術】
現在、携帯電話、携帯情報端末（ＰＤＡ）、ノート型パソコンなどの携帯無線端末には、ＴＶを遠隔操作するための赤外線リモコン機能を有するものがある。このような携帯無線端末は、公衆無線通信網（音声通信網、データ通信網、インターネットなど）に接続された無線基地局と電波のやり取りを行う。
【０００３】
従来技術例として、テレビ放送局からテレビ電波の隙間を利用したデータ放送により放送される、テレビに表示されている番組（テレビＣＭを含む）と連動するテレビ番組連動データを利用し、かつユーザが手元で保有する携帯無線端末に向けて無線で転送する「テレビと携帯無線端末を使用した取引方法及び装置」がある（例えば、特許文献１参照）。また、インターネットを介してテレビジョン放送の番組表を取得し、インターネットを介して番組予約を指示する番組予約プログラムを取得する「テレビジョン番組予約システム、テレビジョン番組予約方法、およびテレビジョン番組予約端末装置」がある（例えば、特許文献２参照）。
【０００４】
【特許文献１】
特開２００２−１５１５１号公報
【特許文献２】
特開２００２−２４７４９１号公報
【０００５】
【発明が解決しようとする課題】
現在、デジタル放送では、双方向通信により料理レシピなどの情報を映像と同時に放送することも可能だが、現時点でデジタル放送機器は高価であり、普及されていない。
【０００６】
また、携帯電話などの携帯無線端末は、リモコン機能を使用中に携帯電話を使って放送局のＵＲＬに接続する時は、一度リモコン機能を終了し、ＷＥＢブラウザを起動してからＵＲＬを入力する操作を必要とするので手間がかかるという問題がある。
【０００７】
また、上記特許文献１記載の発明は、携帯無線端末が携帯電話網を介して直接インターネットと接続されているものであり、リモコンから表示要求信号を送信することによって、チャンネルまたは番組のＷＥＢサイトをテレビ受信機上に表示させる機能は有していない。また、上記特許文献２記載の発明は、携帯無線端末がチャンネル情報とそのチャンネルに連動したサーバのＵＲＬのみを記憶するものであり、上記特許文献１と同様に、リモコンから表示要求信号を送信することによって、チャンネルまたは番組のＷＥＢサイトをテレビ受信機上に、表示させる機能は有していない。
【０００８】
本発明は、上記事情に鑑みてなされたものであり、ＴＶを遠隔操作するための赤外線リモコン機能を発展させ、ユーザが現在見ている番組のＷＥＢサイトを容易に見ることができるようにするリモコン付き携帯無線端末およびＷＥＢ連携方法を提供することを目的とする。
【０００９】
【課題を解決するための手段】
かかる目的を達成するために、請求項１記載の携帯無線端末は、ユーザが遠隔操作するための赤外線無線信号を送信するリモコン手段と、送受信する赤外線無線信号の処理および各手段の制御を行う制御手段と、送受信するデータ、操作内容、リモコン操作画面のうち少なくとも１つを表示する表示手段と、制御部の制御動作に関するプログラムおよびデータを格納する記憶手段と、ユーザが各種機能の操作を行う操作手段とを有し、ユーザが最後に操作したチャンネルのＷＥＢサイトをワンボタン操作で表示手段に表示することを特徴としている。
【００１０】
請求項２記載の携帯無線端末は、ユーザが遠隔操作するための赤外線無線信号を送信するリモコン手段と、送受信する赤外線無線信号の処理および各手段の制御を行う制御手段と、送受信するデータ、操作内容、リモコン操作画面のうち少なくとも１つを表示する表示手段と、制御部の制御動作に関するプログラムおよびデータを格納する記憶手段と、ユーザが各種機能の操作を行う操作手段と、現在時刻および日付情報を取得する時計手段とを有し、ユーザが最後に操作したチャンネルの現在時刻に応じた番組のＷＥＢサイトをワンボタン操作で表示手段に表示することを特徴としている。
【００１１】
請求項３記載の携帯無線端末は、請求項１または２記載の携帯無線端末において、ワンボタン操作は、操作手段のＷＥＢブラウザを起動するためのボタンを１回押下することを特徴としている。
【００１２】
請求項４記載の携帯無線端末は、請求項１または２記載の携帯無線端末において、記憶手段は、ユーザがリモコン手段を起動する前に、予めチャンネルに対応したＵＲＬおよび放送局名を情報として記憶することを特徴としている。
【００１３】
請求項５記載の携帯無線端末は、請求項２記載の携帯無線端末において、時計手段により取得される現在情報および日付情報は、ユーザがワンボタン操作を行った際にＷＥＢサイトのＵＲＬに付加されることを特徴としている。
【００１４】
請求項６記載のＷＥＢ連携方法は、ユーザのリモコン機能起動操作によって起動されるリモコン起動ステップと、リモコン機能の操作画面を表示する操作画面表示ステップと、ユーザの操作画面からの操作入力によって、チャンネルの赤外線信号をテレビに対して送信するチャンネル信号送信ステップと、赤外線信号送信後、ユーザの操作画面からの操作入力によって、チャンネルに対応したＷＥＢサイトに接続するＷＥＢ接続ステップと、ＷＥＢサイトを表示するＷＥＢサイト表示ステップとを有することを特徴としている。
【００１５】
【発明の実施の形態】
以下、本発明の実施形態について添付図面を参照して詳細に説明する。
【００１６】
まず、図１を参照して本発明の実施形態の構成について説明する。無線部１は、無線電話機能を示し、高周波無線信号を送受信する。制御部２は、無線部１で送受信するデジタル信号を処理したり、表示部などを制御したりする。表示部３は、送受信するデータや操作内容、リモコン操作画面などを表示する。記憶部４は、制御部２の動作に関係するプログラムやデータなどを格納している。ボタン部５は、複数のボタンで構成され、これらの信号は制御部２に入力され、各種機能の操作を行う。赤外線通信部６は、赤外線ＬＥＤ素子により構成され、ＴＶなどの機器に対してリモコン信号の送信を行う。時計部７は、現在時刻情報および日付情報をカウントする。
【００１７】
図２のフローチャートを参照して、本発明の第１の実施形態の動作について説明する。図２に示すように、まず、ユーザがリモコン機能を起動する（Ｓ２０１）。この時、起動するリモコンには図３に示されるような予めチャンネルに対応したＵＲＬ、放送局名などが登録されている。
【００１８】
次に、ユーザが見たいテレビのチャンネルに対応するボタンを押下する（Ｓ２０２）。そして、ユーザがここでＷＥＢを起動するボタンを押下すると（Ｓ２０３）、ＷＥＢブラウザを起動し（Ｓ２０４）、最後に押されたチャンネルのテレビ局指定のＷＥＢサイトに接続する（Ｓ２０５）。
【００１９】
このため、ユーザがテレビ視聴中にＷＥＢサイトを表示させたい場合は、ワンボタンで表示することができる（Ｓ２０６）。リモコンは、図４に示すような画面が表示され、各ボタンに対応したキーを押下することで操作される。
【００２０】
次に、図５のフローチャートを参照して、本発明の第２の実施形態の動作について説明する。図５に示すように、まず、ユーザがリモコン機能を起動する（Ｓ５０１）。この時、起動するリモコンには予めチャンネルに対応したＵＲＬが登録されている。
【００２１】
次に、ユーザが見たいテレビのチャンネルに対応するボタンを押下する（Ｓ５０２）。そして、ユーザがここでＷＥＢを起動するボタンを押下すると（Ｓ５０３）、ＷＥＢブラウザを起動し（Ｓ５０４）、最後に押されたチャンネルのテレビ局指定のＷＥＢサイトに接続する（Ｓ５０５）。
【００２２】
この時、ＵＲＬには時刻情報が付加されている。例えば、最後に押したチャンネルが「１」の「ＡＡテレビ」局の場合、リモコンデータは図３に示されるものになり、また現在時刻が２０時３０分の場合のＵＲＬは、「ｈｔｔｐ：／／ｗｗｗ．ａａｔｖ．ｃｏ．ｊｐ／２０３０／  」とする。この時刻情報には、時分だけでなく、日付や秒を付加することもできる。ＷＥＢサーバは、この時刻情報に応じたＵＲＬに従った情報を配信する（Ｓ５０６）。
【００２３】
【発明の効果】
以上の説明から明らかなように、請求項１記載の携帯無線端末によれば、ユーザが遠隔操作するための赤外線無線信号を送信するリモコン手段と、送受信する赤外線無線信号の処理および各手段の制御を行う制御手段と、送受信するデータ、操作内容、リモコン操作画面のうち少なくとも１つを表示する表示手段と、制御部の制御動作に関するプログラムおよびデータを格納する記憶手段と、ユーザが各種機能の操作を行う操作手段とを有し、ユーザが最後に操作したチャンネルのＷＥＢサイトをワンボタン操作で表示手段に表示することを特徴としているので、ユーザにとってパソコンなどの情報機器が不要となり、手軽にテレビ番組とＷＥＢの連携を容易に実現でき、また操作もワンボタンで済むため、利便性が良い。
【００２４】
請求項２記載の携帯無線端末は、ユーザが遠隔操作するための赤外線無線信号を送信するリモコン手段と、送受信する赤外線無線信号の処理および各手段の制御を行う制御手段と、送受信するデータ、操作内容、リモコン操作画面のうち少なくとも１つを表示する表示手段と、制御部の制御動作に関するプログラムおよびデータを格納する記憶手段と、ユーザが各種機能の操作を行う操作手段と、現在時刻および日付情報を取得する時計手段とを有し、ユーザが最後に操作したチャンネルの現在時刻に応じた番組のＷＥＢサイトをワンボタン操作で表示手段に表示することを特徴としているので、手軽にテレビ番組とＷＥＢの連携を容易に実現でき、また操作もワンボタンで済むため、利便性が良い。
【００２５】
請求項３記載の携帯無線端末は、請求項１または２記載の携帯無線端末において、ワンボタン操作は、操作手段のＷＥＢブラウザを起動するためのボタンを１回押下することを特徴としているので、利便性が良い。
【００２６】
請求項４記載の携帯無線端末は、請求項１または２記載の携帯無線端末において、記憶手段は、ユーザがリモコン手段を起動する前に、予めチャンネルに対応したＵＲＬおよび放送局名を情報として記憶することを特徴としているので、ユーザが見たいチャンネルのＷＥＢサイトに接続できる。
【００２７】
請求項５記載の携帯無線端末は、請求項２記載の携帯無線端末において、時計手段により取得される現在情報および日付情報は、ユーザがワンボタン操作を行った際にＷＥＢサイトのＵＲＬに付加されることを特徴としているので、ユーザは時刻に応じた情報を得ることができる。
【００２８】
請求項６記載のＷＥＢ連携方法は、ユーザのリモコン機能起動操作によって起動されるリモコン起動ステップと、リモコン機能の操作画面を表示する操作画面表示ステップと、ユーザの操作画面からの操作入力によって、チャンネルの赤外線信号をテレビに対して送信するチャンネル信号送信ステップと、赤外線信号送信後、ユーザの操作画面からの操作入力によって、チャンネルに対応したＷＥＢサイトに接続するＷＥＢ接続ステップと、ＷＥＢサイトを表示するＷＥＢサイト表示ステップとを有することを特徴としているので、ユーザにとってパソコンなどの情報機器が不要となり、手軽にテレビ番組とＷＥＢの連携を容易に実現でき、また操作もワンボタンで済むため、利便性が良い。
【図面の簡単な説明】
【図１】本発明の実施形態の構成を示すブロック図である。
【図２】本発明の第１の実施形態の動作を示すフローチャートである。
【図３】本発明の第１および第２の実施形態にかかるリモコン画面の表示例を示す説明図である。
【図４】本発明の第１の実施形態にかかるリモコン画面の表示例を示す説明図である。
【図５】本発明の第２の実施形態の動作を示すフローチャートである。
【符号の説明】
１  無線部
２  制御部
３  表示部
４  記憶部
５  ボタン部
６  赤外線通信部
７  時計部
８  ＷＥＢ起動ボタン
【図１】
2004221787.tif 000003
【図２】
2004221787.tif 000004
【図３】
2004221787.tif 000005
【図４】
2004221787.tif 000006
【図５】
2004221787.tif 000007